【事件の表示】
　特許第２６４４３７７号「酸素−吸収性ラベル」の請求項１乃至１７に係る特許に対する特許異議の申立てについて、次のとおり決定する。
【結　論】
　訂正を認める。
　特許第２６４４３７７号の請求項１乃至８に係る特許を維持する。
【理　由】
１．手続きの経緯
　本件特許２６４４３７７号は、平成３年１２月６日（優先日１９９１年１月７日米国）に特許出願され、平成９年５月２日にその特許の設定登録がなされたものである。
　これに対し、三菱瓦斯化学株式会社より特許異議の申立てがなされ、取消理由通知がなされ、その指定期間内の平成１１年１月４日に訂正請求がなされたが、この訂正請求に対し平成１１年５月１８日付けで訂正拒絶理由通知を兼ねた取消理由通知がなされたところ、平成１１年１月４日付け訂正請求書が取り下げられ、平成１１年１２月８日付けで再度訂正請求がなされたものである。
２．訂正の適否についての判断
２−１．訂正事項
　この訂正請求は、特許請求の範囲の減縮、誤記の訂正及び特許請求の範囲の減縮に伴う明りょうでない記載の釈明を目的として、本件特許明細書を次のとおり訂正するものである。
（ｉ）「特許請求の範囲」の欄
　特許請求の範囲の減縮を目的として、次のとおり訂正請求されている。
訂正事項（１）：「１．複数の酸素−吸収性ラベルと、該ラベルの各々が剥離可能に接着固定されているウェブの集合体であって、該各ラベルはベースシート、該ベースシートに固定され、該ベースシートとの間の空間を区画するガス透過性カバーシートおよび前記空間の中に封入された酸素−吸収性材料の層と吸水性紙の層からなり、前記酸素吸収性材料の層と吸水性紙の層とは重なり合い、かつ実質上、それらの間に何の材料も介さずに互いに直接接し、また前記層の一つが実質上それらの間に何の材料も介さずに前記カバーシートに直接隣接しており、かつ前記層の他がベースシートに隣接しており、前記カバーシートは前記空間の外側にあってかつ前記酸素−吸収性材料を含まない境界域に沿う第１の接着剤層により前記該ベースシートに接着固定されており、前記第１の接着剤層が前記空間内に延びて前記他の層を前記ベースシートに接着固定しており、また第２の接着剤層が前記ウェブに前記ラベルを剥離可能に接着固定するため、かつ前記ラベルを前記ウェブから剥離して他の物に前記ラベルを接着固定するために前記第１の接着剤層とは反対側のベースシートに具備されている前記集合体。
２．前記カバーシートがポリエチレン、ポリプロピレン、ＥＶＡ、ポリエチレンテレフタレート、サーリン、紙、コート紙、またはそれらのラミネートからなる群から選択される請求項１記載の集合体。
３．前記各ラベルが０．１１４ｍｍ（４．５ミル）と２．０９６ｍｍ（８２．５ミル）の間の厚みを有する請求項１又は２に記載の重合体。
４．前記各ラベルが０．２７９ｍｍ（１１ミル）と１．０４１ｍｍ（４１ミル）との間の厚みを有する請求項３記載の重合体。
５．前記吸水性紙の層が前記カバーシートと、前記酸素−吸収性材料の層との間に配置されている請求項１記載の集合体。
６．前記酸素−吸収性材料が粒状形態である先行する請求項のいずれか一つに記載の集合体。
７．前記酸素−吸収性材料がマトリックス中に埋めこまれている請求項１〜５のいずれか一つに記載の集合体。
８．前記酸素−吸収性材料が粒状鉄と粒状電解質材料の混合物である先行する請求項のいずれか一つに記載の集合体。」
（ｉｉ）「発明の詳細な説明」の欄
　誤記の訂正と明りょうでない記載の釈明を目的として、次のとおり訂正請求されている。
訂正事項（２）：明細書２頁３行〜１０行に「この発明は、〜に関する」とあるを「この発明は．複数の酸素−吸収性ラベルと、該ラベルの各々が剥離可能に接着固定されているウェブの集合体であって、該各ラベルはベースシート、該ベースシートに固定され、該ベースシートとの間の空間を区画するガス透過性カバーシートおよび前記空間の中に封入された酸素−吸収性材料の層と吸水性紙の層からなり、前記酸素吸収性材料の層と吸水性紙の層とは重なり合い、かつ実質上、それらの間に何の材料も介さずに互いに直接接し、また前記層の一つが実質上それらの間に何の材料も介さずに前記カバーシートに直接隣接しており、かつ前記層の他がベースシートに隣接しており、前記カバーシートは前記空間の外側にあってかつ前記酸素−吸収性材料を含まない境界域に沿う第１の接着剤層により前記該ベースシートに接着固定されており、前記第１の接着剤層が前記空間内に延びて前記他の層を前記ベースシートに接着固定しており、また第２の接着剤層が前記ウェブに前記ラベルを剥離可能に接着固定するため、かつ前記ラベルを前記ウェブから剥離して他の物に前記ラベルを接着固定するために前記第１の接着剤層とは反対側のベースシートに具備されている前記集合体に関する。」と訂正する。
訂正事項（３）：明細書２頁下から６行〜３頁１行に「図４は〜示す部分平面図である。」とあるを削除する。
訂正事項（４）：同３頁２行に「図１１」とあるを「図４」と訂正する。
訂正事項（５）：同３頁４行に「図１２は、図１１の」とあるを「図５は、図４の」と訂正する。
訂正事項（６）：同３頁６行に「図１３」とあるを「図６」と訂正する。
訂正事項（７）：同３頁８行に「図１４は、図１３の」とあるを「図７は、図６の」と訂正する。
訂正事項（８）：同３頁１６行〜末行に「この点に関して、〜使用できるだろう。」とあるを削除する。
訂正事項（９）：同４頁１２行〜１６行に「ウェブ１０〜ことができる。」とあるを削除する。
訂正事項（１０）：同４頁１９行〜２２行に「シート１３も〜することができる。」とあるを削除する。
訂正事項（１１）：同５頁下から４〜３行に「成分のメッシュサイズは、同じである。」を削除する。
訂正事項（１２）：同８頁１行〜１３頁５行に「この発明の〜次の実施例がつくられた。」とあるを削除する。
訂正事項（１３）：同１３頁１６行〜１５頁４行に「実施例２〜を有していた。」とあるを削除する。
訂正事項（１４）：同１６頁１行に「表Ｖ」とあるを「表ＩＩ」と訂正する。
訂正事項（１５）：同１６頁９行〜１２行の図７および図５の欄を削除する。
訂正事項（１６）：同１７頁１１行〜１６行に「しかしながら、〜有用である。」とあるを削除する。
訂正事項（１７）：同１７頁下から３行に「図７の態様で又は図１〜６の他の」とあるを「図１〜３の」と訂正する。
訂正事項（１８）：同１７頁末行に「マトリクスとばらの粒状体の組合わせ」とあるを「ばらの粒状体」と訂正する。
訂正事項（１９）：同１８頁９行に「図１〜７」とあるを「図１〜３」と訂正する。
訂正事項（２０）：同１８頁９行〜１１行に「示したが、〜範囲内にある。」とあるを「示している。」と訂正する。
訂正事項（２１）：同１８頁１１〜２３行に「そこで、〜分離できる。」とあるを削除する。
訂正事項（２２）：同１９頁１行〜８行に「いるが、ラベルを〜固定することができる。」とあるを「いる。」と訂正する。
訂正事項（２３）：同１９頁１４行に「図１１」とあるを「図４」と訂正する。
訂正事項（２４）：同１９頁１６行に「図１１〜１４とあるを「図４〜７」と訂正する。
訂正事項（２５）：同１９頁１０行〜１１行に「図１１と図１２」とあるを「図４と５」に訂正する。
訂正事項（２６）：同１９頁１９行に「上記の適当な手段で」とあるを削除する。
訂正事項（２７）：同１９頁下から６行に「図１３と１４」とあるを「図６と７」と訂正する。
訂正事項（２８）：同１９頁下から２行〜２０頁２行に「さきの説明は〜することができる。」とあるを削除する。
訂正事項（２９）：平成８年４月１２日付手続補正書３頁（４）項において、「「第２の接着剤層１４」と訂正する。」とあるを「「第１の接着剤層１４」と訂正する。」に訂正する。
訂正事項（３０）：「Ｆｉｇ．４」、「Ｆｉｇ．５」、「Ｆｉｇ．６」、「Ｆｉｇ．７」、「Ｆｉｇ．８」、「Ｆｉｇ．９」及び「Ｆｉｇ．１０」を削除する。
訂正事項（３１）：「Ｆｉｇ．１１」を「Ｆｉｇ．４」に、「Ｆｉｇ．１２」を「Ｆｉｇ．５」に、「Ｆｉｇ．１３」を「Ｆｉｇ．６」に、「Ｆｉｇ．１４」を「Ｆｉｇ．７」に、それぞれ訂正する。
２−２．訂正の目的の適否、新規事項の有無及び拡張・変更の存否
　上記訂正事項（１）は、特許請求の範囲の減縮に該当する。また、上記訂正事項（２）乃至訂正事項（３１）は特許請求の範囲の減縮に伴う明りょうでない記載の釈明又は誤記の訂正に該当するものであり、しかも、いずれの訂正事項も特許明細書に記載した事項の範囲内でなされたものであるから新規事項の追加に該当せず、また当該訂正によって実質上特許請求の範囲を拡張し又は変更するものでもない。
２−３．独立特許要件の判断
（本件訂正発明）
　本件訂正明細書の請求項１乃至８に係る発明（以下、「訂正発明１乃至８」という）は、平成１１年１２月８日付け訂正請求書に添付された訂正明細書の上記２−１．（ｉ）に示す請求項１乃至８に記載された事項により特定されるとおりのものである。
（引用刊行物）
　当審が平成１１年５月１８日付けの訂正拒絶理由を兼ねた取消理由通知において引用した刊行物１乃至８には、それぞれ次の事項が記載されている。
引用例１：特開昭５５−１１６４３４号公報
（イ）「すなわち本発明は両面接着テープをはりつけた紙、プラスチックシート等の基材に脱酸素剤を付着させ、ついで表面被覆シートを接着して被覆された脱酸素剤を製造する方法である。」（第１頁右欄第５行乃至第８行）
（ロ）「第１図中、２は剥離紙の一部３を剥離するための爪である。３の剥離紙が離れ、両面接着テープ１２の一方の面が表面に現われた状態を第３図Ａ、Ｂに示す。・・・両面接着テープ１２の表面に落下した脱酸素剤１３は、接着テープにより基板１１に付着する。・・・次に表面を覆う表層材（表面被覆シート）７を圧着ロール８により押しつけることにより、粘着剤１２により表層材と基材とを固定すると第６図の如く、脱酸素剤シートが製造される。これを切断機９にて切断したものが１０（第７図にその詳細断面図を示す）である。勿論用途によっては、切断しないままのシートを巻き取るか或いは折り畳む状態でも使用しうる。」（第１頁右欄第１８行乃至第２頁上段左欄第１９行）
（ハ）「また包装するための袋の内側に接着して使用することもできる。」（第２頁上段右欄第７行及び第８行）
引用例２：特開平２−７１８１４号公報
（イ）「本発明は脱酸素剤に関し、実用性に優れた脱酸素方式による品質保持剤に関する。」（第１頁右欄第１０行及び第１１行）
（ロ）「すなわち本発明は、ガス不透過性フィルムの中に脱酸素材料層を包装することを特徴とする脱酸素剤である。・・・使用時に剥離しやすい表面のガス不透過製フィルムを取り除くことによりはじめて脱酸素剤としての機能を発揮することを見出した。更に、その基材面に粘着性物質を形成し、必要とされる場所、例えばコンテナや包装容器内部等に容易に張り付けるようにすることによって、その応用・適用範囲は一挙に拡大することを見出し、本発明に至った。」（第２頁上段右欄第２行乃至下段左欄第２行）
引用例３：特開平１−１１１６０６号公報
（イ）「本発明は、・・・例えば脱酸素剤や乾燥剤などいわゆる不可食薬剤を誤食できないように包装する食品の製袋充填方法及びその装置に関する。」（第２頁下段左欄第１９行乃至右欄第３行）
（ロ）「粘着剤層付き別添袋の成形手段Ｂは受けローラ１３とこれに対向配設した圧着ローラ１４と、食品用の両面粘着テープ１５を前記ローラ１３、１４間に繰り出す両面粘着テープ繰り出しローラ１６と、両面粘着テープ１５の剥離ライナ１５ａを巻取る剥離ライナ巻取りロール１７と・・・シュート２２とを有して成る。」（第４頁下段左欄第１５行乃至右欄第６行）
引用例４：実願昭６３−８８６４４号（実開平２−１０５６９号）のマイクロフィルム
「裏面に接着剤層（２）を具備させた製品ラベル（Ｃ）、（Ｃ）が所定の間隙部分（Ｓ）を有して剥離紙（３）の表面に多数連続するように並設させたラベル連続体において、剥離紙（３）の表面上における製品ラベル（Ｃ）間の間隙部分（Ｓ）に、一連番号を刻設したラベル連続体」（第１頁実用新案登録請求の範囲の項）
引用例５：実願昭５４−１３２７２号（実開昭５５−１１５５８２号）のマイクロフィルム
（イ）「通気性フィルム（５）の表面に、脱酸素剤、乾燥剤、殺菌剤、防腐剤、生長抑制剤の如き保存剤の薄い層（４）を形成した保存剤付シート」（第１頁実用新案登録請求の範囲の項）
（ロ）「本考案はフィルムの表面に保存剤の層を形成した保存剤付シートであって包装袋、箱容器の所定位置に予め接着して使用出来、」（第２頁第１５行乃至第１７行）
引用例６：特公昭５４−４７６号公報
「まず、酸素の吸収速度・量の増加および取扱いの面から有効なものとしては、活性炭、活性アルミナ、・・・微粉シリカゲル、」（第２頁第４欄第３７行乃至第４０行）
引用例７：特開平２−７２８５１号公報
（イ）「本発明は食品の腐敗、変質、劣化を防止するフィルム状脱酸素剤に関する。」（第１頁左欄第１７行及び第１８行）
（ロ）「脱酸素剤組成物がフィルム中に分散されてなる熱可塑性樹脂フィルムを延伸してなる脱酸素剤組成物含有微多孔フィルム」（第１頁特許請求の範囲の項）
引用例８：実願昭６３−７４１４０号（実開平１−１７７１８３号）のマイクロフィルム
（イ）「袋、容器内の酸素や水分、包装材や内容物から発生する臭気の除去は重要である。」（第１頁第１９行乃至第２頁第１行）
（ロ）「熱可塑性樹脂に鉄粉及び食塩を配合してなる脱酸素シートと、紙に塩化カルシウムを分散してなる吸湿シートと、熱可塑性樹脂または紙に活性炭又はゼオライトを配合してなる脱臭シートとを積層してなる封入用シート」（第１頁実用新案登録請求の範囲の項）
（ハ）「封入用シートは酸素バリア性の高い包装袋を容器内に入れて使用する。脱酸素シート、脱臭シート及び吸湿シートの表面より酸素、臭気及び水分がそれぞれ吸収される。」（第３頁第１９行乃至第４頁第２行）
（二）「これらの積層は熱ラミネート加工、粘着接着剤によるはり合わせ、又はスキンパック包装などにより行われる。」（第３頁第９行乃至第１２行）
（対比・判断）
（ｉ）本件訂正発明１について
　引用例１には、「脱酸素剤」に関し、「両面接着テープをはりつけた紙、プラスチックシート等の基材に脱酸素剤を付着させ、ついで表面被覆シートを接着して被覆された脱酸素剤」（上記引用例１（イ）参照）の発明（以下、「引用例１発明」という）が記載されていると云える。
　そこで、本件訂正発明１と引用例１発明とを対比すると、本件訂正発明１は、少なくとも「ベースシートとガス透過性カバーシートとで区画する空間が酸素−吸収性材料の層と吸水性紙の層からなる」点で上記引用例１発明と相違するから、上記引用例１に記載された発明であるとすることはできない。
　また、引用例１発明の基材１１について検討すると、引用例１の脱酸素剤の製造法に関する上記（ロ）の記載、すなわち「次に表面を覆う表層材（表面被覆シート）７を圧着ロール８により押しつけることにより、粘着剤１２により表層材と基材とを固定すると第６図の如く、脱酸素剤シートが製造される。」や「これを切断機９にて切断したものが１０（第７図にその詳細断面図を示す）である。勿論用途によっては、切断しないままのシートを巻き取るか或いは折り畳む状態でも使用しうる。」の記載に徴すれば、引用例１の「脱酸素剤シート」はその基材１１と一体的なものであり、またその用途に供される場合でも、個別に切断されて第７図の形状の、いわゆる基材１１と一体形状で供されるか又は切断されずに基材１１と一体のシート形状のまま供されるものと解するのが相当である。
　そうであるならば、引用例１発明の「脱酸素剤」は、その一体不可分の「基材１１」に、本件訂正発明１の「第２の接着剤層」に相当する構成を有しないから、本件訂正発明１の「ラベル」とは別異のものと云うべきである。
　この点に関し、引用例１の上記（ハ）には「袋の内側に接着して使用することもできる。」との記載があり、この記載から、引用例１発明も「基材１１」を剥離して袋の内側に接着することができるものであると解する余地もありうるが、しかしながら、引用例１の他の記載をみるに、そのように解すべきとする何らの根拠も見当たらない。むしろ、上述したとおり、引用例１発明は「基材１１」と一体で使用に供されるものと解するのが相当であるから、上記（ハ）の記載は、基材１１に接着剤を付けて袋の内側に貼ることを単に示唆しているだけと解すべきであり、基材１１を剥離することをも示唆していると解することには無理があると云うべきである。
　してみると、引用例１には、「ラベル」を「ウェブ」に剥離可能に接着固定するという技術思想については何ら記載又は示唆するところがないから、本件訂正発明１は、上記引用例１に記載された発明に基づいて当業者が容易に発明をすることができたものとすることもできない。
　次に、引用例２乃至８について検討すると、これら証拠にも、「ベースシートとガス透過性カバーシートとで区画する空間が酸素−吸収性材料の層と吸水性紙の層からなる酸素−吸収性ラベル」であって、この「ラベル」を「ウェブ」に剥離可能に接着固定するという技術思想については何ら記載又は示唆するところがないから、本件訂正発明１は、上記引用例１乃至８に記載された発明に基づいて当業者が容易に発明をすることができたものとすることもできない。
（ｉｉ）訂正発明２乃至８について
　本件訂正発明２乃至８は、請求項１を引用した記載形式であるから、上記（ｉ）の理由と同様、上記引用例１乃至８に記載された発明であるとすることはできないし、また上記引用例１乃至８に記載の発明に基づいて当業者が容易に発明をすることができたものともすることができない。
　したがって、本件訂正発明１乃至８は、特許出願の際独立して特許を受けることができるものである。
２−４．むすび
　以上のとおり、上記訂正は、平成６年改正法附則第６条第１項の規定によりなお従前の例によるとされる、特許法第１２０の４第３項において準用する平成６年改正法による改正前の特許法第１２６条第１項ただし書、第２項及び第３項の規定に適合するので、当該訂正を認める。
３．特許異議申立てについて
（異議申立ての理由）
　特許異議申立人は、証拠方法として、甲第１号証乃至甲第１０号証を提出して、本件請求項１乃至１７に係る発明は、甲第１号証に記載された発明であり、また甲第１号証、甲第３号証及び甲第５号証のいずれかに記載の発明と周知技術に基づいて当業者が容易に発明をすることができたものであるから、本件発明の特許は特許法第２９条第１項第３号又は同条第２項に違反してなされたものであり、取り消されるべきものであると主張している。
（証拠の記載内容）
甲第１号証：上記引用例１と同じである。
甲第２号証：「接着便覧第１５版」（株）高分子刊行会、１９８７年」８月２０日、第１３２頁乃至第１３７頁、第１５８頁及び第１５９頁
「粘着面」、「はく離ライナー」及び「両面粘着テープ」の用語の説明がある。
甲第３号証：上記引用例２と同じである。
甲第４号証：上記引用例３と同じである。
甲第５号証：上記引用例４と同じである。
甲第６号証：上記引用例５と同じである。
甲第７号証：上記引用例６と同じである。
甲第８号証：上記引用例７と同じである。
甲第９号証：米国特許第５１１６６６０号審判請求理由書
甲第１０号証：米国特許第５６８６１６１号明細書
「しかしながら、両方の特許においてマトリックスは酸素吸収剤を埋め込んでおり、そしてこれによりこれら酸素吸収剤の機能を遮断している。」（第１欄第３４行乃至３７行）
（当審の判断）
　甲第２号証以外の証拠については、上記２−３．の項で述べたとおりであり、また上記甲第２号証も、「両面粘着テープ」等に関する内容だけであるから、本件訂正発明１乃至８は、上記甲第１号証に記載された発明であるとすることはできないし、また甲第１号証乃至甲第８号証に記載された発明と周知技術に基づいて当業者が容易に発明をすることができたものともすることができない。
　したがって、特許異議申立人の上記主張は採用することができない。
　
４．むすび
　以上のとおり、特許異議申立ての理由及び証拠方法によっては、本件発明の特許を取り消すことはできない。
　また、他に本件発明に係る特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。　
【異議決定日】
平成１２年６月２２日（２０００．６．２２）
【訂正の要旨】
訂正の要旨
本件訂正の要旨は、本件特許第２６４４３７７号発明の明細書を平成１１年１２月８日付け訂正請求書に添付された全文訂正明細書のとおり、すなわち特許請求の範囲の減縮、明りょうでない記載の釈明及び誤記の訂正を目的として、次の訂正事項（１）乃至訂正事項（３１）のとおりに訂正するものである。
（ｉ）「特許請求の範囲」の欄
訂正事項（１）：「１．複数の酸素−吸収性ラベルと、該ラベルの各々が剥離可能に接着固定されているウェブの集合体であって、該各ラベルはベースシート、該ベースシートに固定され、該ベースシートとの間の空間を区画するガス透過性カバーシートおよび前記空間の中に封入された酸素−吸収性材料の層と吸水性紙の層からなり、前記酸素吸収性材料の層と吸水性紙の層とは重なり合い、かつ実質上、それらの間に何の材料も介さずに互いに直接接し、また前記層の一つが実質上それらの間に何の材料も介さずに前記カバーシートに直接隣接しており、かつ前記層の他がベースシートに隣接しており、前記カバーシートは前記空間の外側にあってかつ前記酸素−吸収性材料を含まない境界域に沿う第１の接着剤層により前記該ベースシートに接着固定されており、前記第１の接着剤層が前記空間内に延びて前記他の層を前記ベースシートに接着固定しており、また第２の接着剤層が前記ウェブに前記ラベルを剥離可能に接着固定するため、かつ前記ラベルを前記ウェブから剥離して他の物に前記ラベルを接着固定するために前記第１の接着剤層とは反対側のベースシートに具備されている前記集合体。
２．前記カバーシートがポリエチレン、ポリプロピレン、ＥＶＡ、ポリエチレンテレフタレート、サーリン、紙、コート紙、またはそれらのラミネートからなる群から選択される請求項１記載の集合体。
３．前記各ラベルが０．１１４ｍｍ（４．５ミル）と２．０９６ｍｍ（８２．５ミル）の間の厚みを有する請求項１又は２に記載の重合体。
４．前記各ラベルが０．２７９ｍｍ（１１ミル）と１．０４１ｍｍ（４１ミル）との間の厚みを有する請求項３記載の重合体。
５．前記吸水性紙の層が前記カバーシートと、前記酸素−吸収性材料の層との間に配置されている請求項１記載の集合体。
６．前記酸素−吸収性材料が粒状形態である先行する請求項のいずれか一つに記載の集合体。
７．前記酸素−吸収性材料がマトリックス中に埋めこまれている請求項１〜５のいずれか一つに記載の集合体。
８．前記酸素−吸収性材料が粒状鉄と粒状電解質材料の混合物である先行する請求項のいずれか一つに記載の集合体。」
（ｉｉ）「発明の詳細な説明」の欄
訂正事項（２）：明細書２頁３行〜１０行に「この発明は、〜に関する」とあるを「この発明は．複数の酸素−吸収性ラベルと、該ラベルの各々が剥離可能に接着固定されているウェブの集合体であって、該各ラベルはベースシート、該ベースシートに固定され、該ベースシートとの間の空間を区画するガス透過性カバーシートおよび前記空間の中に封入された酸素−吸収性材料の層と吸水性紙の層からなり、前記酸素吸収性材料の層と吸水性紙の層とは重なり合い、かつ実質上、それらの間に何の材料も介さずに互いに直接接し、また前記層の一つが実質上それらの間に何の材料も介さずに前記カバーシートに直接隣接しており、かつ前記層の他がベースシートに隣接しており、前記カバーシートは前記空間の外側にあってかつ前記酸素−吸収性材料を含まない境界域に沿う第１の接着剤層により前記該ベースシートに接着固定されており、前記第１の接着剤層が前記空間内に延びて前記他の層を前記ベースシートに接着固定しており、また第２の接着剤層が前記ウェブに前記ラベルを剥離可能に接着固定するため、かつ前記ラベルを前記ウェブから剥離して他の物に前記ラベルを接着固定するために前記第１の接着剤層とは反対側のベースシートに具備されている前記集合体に関する。」と訂正する。
訂正事項（３）：明細書２頁下から６行〜３頁１行に図４は〜示す部分平面図である。」とあるを削除する。
訂正事項（４）：同３頁２行に「図１１」とあるを「図４」と訂正する。
訂正事項（５）：同３頁４行に「図１２は、図１１の」とあるを「図５は、図４の」と訂正する。
訂正事項（６）：同３頁６行に「図１３」とあるを「図６」と訂正する。
訂正事項（７）：同３頁８行に「図１４は、図１３の」とあるを「図７は、図６の」と訂正する。
訂正事項（８）：同３頁１６行〜末行に「この点に関して、〜使用できるだろう。」とあるを削除する。
訂正事項（９）：同４頁１２行〜１６行に「ウェブ１０〜ことができる。」とあるを削除する。
訂正事項（１０）：同４頁１９行〜２２行に「シート１３も〜することができる。」とあるを削除する。
訂正事項（１１）：同５頁下から４〜３行に「成分のメッシュサイズは、同じである。」を削除する。
訂正事項（１２）：同８頁１行〜１３頁５行に「この発明の〜次の実施例がつくられた。」とあるを削除する。
訂正事項（１３）：同１３頁１６行〜１５頁４行に「実施例２〜を有していた。」とあるを削除する。
訂正事項（１４）：同１６頁１行に「表Ｖ」とあるを「表ＩＩ」と訂正する。
訂正事項（１５）：同１６頁９行〜１２行の図７および図５の欄を削除する。
訂正事項（１６）：同１７頁１１行〜１６行に「しかしながら、〜有用である。」とあるを削除する。
訂正事項（１７）：同１７頁下から３行に「図７の態様で又は図１〜６の他の」とあるを「図１〜３の」と訂正する。
訂正事項（１８）：同１７頁末行に「マトリクスとばらの粒状体の組合わせ」とあるを「ばらの粒状体」と訂正する。
訂正事項（１９）：同１８頁９行に「図１〜７」とあるを「図１〜３」と訂正する。
訂正事項（２０）：同１８頁９行〜１１行に「示したが、〜範囲内にある。」とあるを「示している。」と訂正する。
訂正事項（２１）：同１８頁１１〜２３行に「そこで、〜分離できる。」とあるを削除する。
訂正事項（２２）：同１９頁１行〜８行に「いるが、ラベルを〜固定することができる。」とあるを「いる。」と訂正する。
訂正事項（２３）：同１９頁１４行に「図１１」とあるを「図４」と訂正する。
訂正事項（２４）：同１９頁１６行に「図１１〜１４とあるを「図４〜７」と訂正する。
訂正事項（２５）：同１９頁１０行〜１１行に「図１１と図１２」とあるを「図４と５」に訂正する。
訂正事項（２６）：同１９頁１９行に「上記の適当な手段で」とあるを削除する。
訂正事項（２７）：同１９頁下から６行に「図１３と１４」とあるを「図６と７」と訂正する。
訂正事項（２８）：同１９頁下から２行〜２０頁２行に「さきの説明は〜することができる。」とあるを削除する。
訂正事項（２９）：平成８年４月１２日付手続補正書３頁（４）項において、「「第２の接着剤層１４」と訂正する。」とあるを「「第１の接着剤層１４」と訂正する。」に訂正する。
訂正事項（３０）：「Ｆｉｇ．４」、「Ｆｉｇ．５」、「Ｆｉｇ．６」、「Ｆｉｇ．７」、「Ｆｉｇ．８」、「Ｆｉｇ．９」及び「Ｆｉｇ．１０」を削除する。
訂正事項（３１）：「Ｆｉｇ．１１」を「Ｆｉｇ．４」に、「Ｆｉｇ．１２」を「Ｆｉｇ．５」に、「Ｆｉｇ．１３」を「Ｆｉｇ．６」に、「Ｆｉｇ．１４」を「Ｆｉｇ．７」に、それぞれ訂正する。
（５４）【発明の名称】
酸素−吸収性ラベル
【発明の詳細な説明】
　
発明の背景
　この発明は、酸素−吸収性化合物を含むラベル及び複数の該ラベルを含むウェブに関する。
　酸素−吸収が要求される食品、医療品あるいは類似の各種の応用分野において、酸素−吸収は、一般に酸素吸収性パケットを酸素が吸収されるべき容器内に固定されずにばらで配置することにより行われている。これは、パケットが容器内容物と混合されたときしばしば望ましいことではなかった。４，７６９，１７５号特許で示されているように食品または他の商品の容器の内壁に確実に固定することができるシート状酸素除去剤が利用できることも公知である。
　
発明の要約
　この発明の一つの目的は、高速連続ベース上に生産することができ、かつ高速連続ベース上のベース容器に適用することができ、効率的に酸素を吸収する酸素吸収性材料の薄層を含む酸素−吸収性ラベル構造を提供することである。
　この発明の他の目的は、効率的な手段でラベル中へ水分を吸引するように一体化された酸素吸収性化合物の配列を含む酸素吸収性ラベルを提供することである。
　この発明の他の目的は、容器の内容物に影響されることによっても、また含まれる鉄の酸化によってもしみ又は変色を起こさない容器の内側にしっかり付着するための酸素の吸収性ラベルを提供することである。
　この発明のさらに別の目的は、その中の成分の配列の故に、極めて効率的かつ簡易な方法で組み立てられる酸素−吸収性ラベルを提供することである。
　さらにこの発明の別の目的は、通常のラベル−貼付機を使用してラベルの取扱を容易にするための酸素−吸収性ラベルの複数を含むウェブを提供することである。
　この発明の他の目的と付随的な利点は以下の記述から容易に理解されるであろう。
　この発明は、複数の酸素−吸収性ラベルと、該ラベルの各々が剥離可能に
接着
層と吸水性紙の層
前記酸素吸収性材料の層と吸水性紙の層とは重なり合い、かつ実質上それらの間に何の材料も介さずに互いに直接接し、また前記層の一つが実質上それらの間に何の材料も介さずに前記カバーシートに直接隣接しており、かつ前記層の他がベースシートに隣接しており、
前記第１の接着剤層が前記空間内に延びて前記他の層を前記ベースシートに接着固定しており、
前記ウェブに前記ラベルを剥離可能に接着固定するため、かつ前記ラベルを前記ウェブから剥離して
　この発明の種々の態様は、明細書の以下の部分を添付の図面を参照して読めばより一層理解されよう。
　
図面の簡単な説明
　図１は、本発明の複数の酸素−吸収性ラベルを含むウェブの部分平面図である。
　図２は、図１の２−２線に実質的に沿った部分断面図で、本発明の酸素吸収性ラベルの一態様を示している。
　図３は、図２と同様で、第２の態様を示す図である。
　図
４
　図
５
４
　図
６
　図
７
６
　
好ましい態様の説明
　説明のためのものだが、この発明のラベルの全ての態様は可撓性であり、高速連続ベース上に生産することができ、また高速連続ベース上の容器に応用することができる。特定の態様では印刷技術によって製造することもでき、すべての態様は、酸素−吸収性成分の薄層を利用するので高度に効率的である。
　さらなる説明のためのものだが、この発明の酸素−吸収性ラベルは、低水分又は高水分雰囲気での利用が意図される。
　図１において、この発明の複数の可撓性酸素−吸収性ラベル１１を含むウェブ１０が示されている。各々のラベル１１はウェブ１０に適当な感圧性接着剤とすることができる１〜２ミルの第２の接着剤の層１２により固定されており、各ラベル１１がそこから取りはずせるようにそのウェブは剥離紙からつくられている。
　接着剤１２は、厚さ１〜５ミル、好ましくは２〜３ミルの適当な紙又は可撓性プラスチックフィルムからつくることができるベースシート１３の下側を形成する。可撓性ベースシート１３は水分又は蒸気不透過性でも、またもし水分がそれを劣化しないならば吸水性であってもよい。もしラベルがホットメルト接着剤又は熱シール性重合体によりそのベース容器に付着されるならば層１２はこうした物質から形成することができ、また層１２は適当な接着剤の付加的な層又は点のような適当な手段によりウェブ１０に剥離できるように固定することができる。
　ベースシート１３の上面は別の第１の接着剤１４の層を含んでおり、この接着剤は接着剤フィルム１２と同じタイプと厚さでよく、上記したようなホットメルト接着剤又は熱シール性重合体とすることができる。
　接着剤の種々の方式は、制限はなく、感圧性接着剤、ホットメルト接着剤、コールドグルー及び触媒作用による硬化樹脂を含むことができる。さらに、接着剤による又は上記した他の方法によるシールは、フルコート又はパターンコートでもよい。
　可撓性表面シート１５は、ベースシート１３に第１の接着剤層１４により固定され、この固定は、前記粒状酸素−吸収性材料を含む空間の外側にあって、前記粒状酸素−吸収性材料を含まない境界域に沿う周縁部１７でおきる。制限するものではなく、例としてあげると、表面シート１５、は微小な目打ちがあってもなくてもよい油及び水不透過性紙、コート紙、又はポリエチレン、ポリプロピレン、ＥＶＡ又はポリエチレンテレフタレート、サーリン等のプラスチックフィルム、紙、又はそれらのラミネートからつくられる。これらは酸素ガスが透過するが液体の水は透過しないように蒸気及びガス透過性である。
　さらに、油及び水不透過性であることにより、表面シート１５は、しみがつかず、したがって耐変色性で使用中に外観が見苦しくなることがない。
　このしみは、ラベル中に含まれる鉄の酸化によるかラベルが配置された容器内容物との接触による。表面シートは厚さ５と７ミルの間とすることができ、より好ましくは１と５ミルの間、最も好ましくは３〜４ミルである。
　表面シート１５は、周縁部１７においてベースシート１３に付着することによりその中に酸素−吸収性成分１９を封入する。図２の成分は、二種の乾燥反応剤、鉄２０と固体電解質塩２１を含んでいる。鉄は、水素還元鉄でも電解還元鉄でも、あるいは化学的に還元された鉄でもよく、大きな反応性を付与する。
　鉄は、金属性酸素−吸収剤として好ましいものではあるが、他の金属も使用できることも理解されよう。これらについて制限されるものではないが例示すると、アルミニウム、銅、亜鉛、チタン、マグネシウム及び錫などである。しかしながら、これらは鉄が有する酸素−吸収量をもっていない。
　また、元素又は部分酸化形態で使用できる他の元素は、ナトリウム、マンガン、よう素、いおう及びりんである。しかしながら、これらもまた鉄程有効ではない。
　塩は、塩化ナトリウム、又は他の適当な食品に適合する塩で、制限するものでないが、硫酸ナトリウム、塩化カリ、塩化アンモニウム、硫酸アンモニウム、塩化カルシウム、リン酸ナトリウム、リン酸カルシウム及び塩化マグネシウムを含んでいる。
　非食品製品に対しては、他の非−食品適合性塩が使用できる。乾燥反応剤、すなわち鉄及び塩は４８と３２５メッシュの間であり、２〜１２ミル好ましくは４〜８ミルの厚さに配置することができる。乾燥反応剤２０及び２１は接着剤層１４の表面に接着して縁部１７の内部に保持される。乾燥反応剤２０と２１の層が十分に薄い場合には、それらはシート１３と１５の間の位置に保持され、そしてこの薄さは約１２ミルよりも小さい。換言すれば、粒状材料は、特にラベルがその容器ベースに接着されるとき隆起を形成しない実質的な層のままである。
　シート１３と１５の表面の荒さも又粒状材料がその層形状の外に滑ることを防ぐことができる。粒状材料は、底部シート１３上の連続した間欠ベース上に自動機械により配置することができる。シート２２も自動機械により配置することができる。
　表面シート１５の内部にさらに包含されるのは、必要によりサイズされ、及び／又はコートされた吸取り紙又は乾燥剤からなる吸収剤シート２２である。紙シートは、またその中に電解質とともに作ることもできる。シリカゲルを含み、等級名称ＳＧ−１４６によって同定されＭｕｌｔｉｆｏｒｍ　Ｄｅｓｉｃｃａｎｔｓ　Ｉｎｃ．の製品である乾燥剤紙は、使用することができる。吸取り紙又は乾燥剤紙の機能は、表面シート１５を通して透過する酸素を吸収するために鉄が必要とする基本的電解作用を開始するために固体電解質と結合するように表面シート１５を通して水分を吸収することである。吸収剤シートは、４と１５ミルの間の厚さ、より好ましくは８と１０ミルの間の厚さとすることができる。
　種々の成分の前述の寸法は、組み合わせで考慮されるとき、ラベル１１は、９．５と４６ミルの間の厚さの外側範囲、１８と３１ミルの間の厚さの中間範囲、及び２０と３０ミルの間の厚さの内側範囲を有することがわかる。種々の層の厚さは、変えることができ、とくに吸取り紙及び／又は鉄及び塩の厚さは要求される吸収量に依存する。
　図３において、この発明の第２態様１１ａが開示されている。ラベル１１ａは、図２のラベルの成分と同一の成分を有し、それゆえにこれらの成分は、図２関連してなされたように、詳細にそれらを記述する必要のない等しい数値により表示されるであろう。図２と３の態様の間のわずかな差異は、図２のように吸収剤シート２２が乾燥反応剤２０と２１の上ではなくそれらの下にあることである。この態様においては粒状材料２０と２１の次に１４のような接着剤層がない。図２に勝る図３の態様の利点は、吸収剤シートがラベルが位置する雰囲気から水分を吸引することにより、水分をまず粒状材料２０と２１を通して通行させるが、それにより反応を促進するということである。
　他方、図３の態様に勝る図２の態様の利点は、吸収剤シート２２が顆粒状又は粉末材料２０、２１をベースシート１３と表面シート１５の組立体の間の位置に保持することである。
　シート２２は、自動機械により底部シート１３の上に位置することができ、そして粒状材料も又、自動機械により配置することができる。図２及び３のラベルに対する種々の寸法は、上記に示されており、拡大された範囲が次の表に示されている。
　
実施例１
　図３に示されたタイプのラベルは、表面シートとして４．５ミル厚の耐油、グリース性紙と６０％に調整された水分を含む９ミル厚のシリカゲル含浸紙を用いてつくられた。
　２００メッシュの塩化ナトリウム電解質の１．５重量％を混和した１００メッシュの電解鉄が８ミル厚にシリカゲル紙の上に層形成され、感圧性接着剤の１ミルで両側を被覆された４．５ミル厚の紙がベースシートとして使用された。
　完成されたラベルは約２８ミル厚で反応剤域は約２×２”そして約０．６８ｇの鉄を含んでいた。このラベルは、空気雰囲気の密閉された５００ｃｃ容器の内壁に接着され、１９時間でこの容器から９９．９８％より多い酸素を除去した。
　よく知られているように、１００ｃｃの酸素を除去するために要求される鉄の化学量論的等量は０．３２５ｇである。どの系でもこの量の倍数が吸収されるべき酸素の量と反応速度に依存して使用される。また反応速度は鉄が配置される仕方に依存する。
　さらに詳細には、鉄がパケット中に顆粒又は粒状の鉄を含むバルク形態で包含されたとき、２４時間で１００ｃｃの酸素を吸収するのに０．８５ｇが要求され、一方、鉄と塩の厚さが８ミルであるラベルの層として配置された時は、２４時間で１００ｃｃの酸素を吸収するのに０．６７ｇが要求されることが観察された。要求される鉄の量が少ないのは、それが薄層に分散されているので酸素に対する粒状鉄の露出面がより大きくなるという事実によるものである。
　ラベルフォーマット中の酸素吸収性材料の比較的薄層を利用する有効性は、以下の表に説明されている。
　表のカラム１は、種々の図面の形態で示されるラベルのタイプを表示する。また、各ラベルは電解作用を行うに十分な水分を含んでいた。
　カラム２は、ラベル内の反応領域のサイズを表示する。
　カラム３は、１００メッシュ又はより微細な鉄のグラムでの重量を表示する。
　カラム４は、水分活性材料を含む酸素−吸収性材料（Ｆｅ）のミルでの厚さを表示する。
　カラム５は、酸素の立方センチメーターでのラベルの理論酸素−吸収量を表示する。
　カラム６は、２４時間でラベルにより吸収された酸素の立方センチメーターを表示する。
　カラム７は、ラベルにより極限的に吸収された酸素の立方センチメーターでの合計量を表示する。
　ラベル中の、電解作用を行うために要求される塩化ナトリウムの量は、使用される鉄の重量の２％と２．５％の間にある。
　しかし、塩化ナトリウムの量は、実際には臨界的ではない。要求される電解作用を生起させるに十分な量が必要なだけである。この点において、約３．５％以上では反応速度に増加がみられず、また１％以下では反応速度の低下が観察されるが反応は生起する。もし、塩化ナトリウム以外の塩が使用されるならば、その重量は塩化ナトリウムの重量の化学量論量となる。
　酸素吸収ラベルが乾燥環境にあるときは、酸素−吸収反応のために存在する鉄の重量で約３０％と１００％の間、好ましくは約４０と８０％の間、最も好ましくは４０％と６０％の間の水分を供給しなければならない。
　個別の反応式において要求される水の実際の量は、反応に寄与すると見込まれる環境中の水の量に依存する。すなわち、環境が乾燥していれば全ての水が要求され、湿っていればわずかな水が要求されるということが理解されよう。
　付言すると、前述の環境の下で使用される感水性材料の量もその水分含量及びその水親和性に依存する。
　実例を上げると、望ましい状態を考慮すれば水分は好ましくは鉄と電解質を含む酸素−吸収性混合物中の鉄の重量の４０〜６０％の間の量存在することが望ましい。また、吸水性吸取り紙の一定量が水分としてそれ自体の重量の３０〜３５％を保持することができるということを考慮すると、水分として鉄の重量の４０〜６０％を供給するには鉄の重量の約１．５倍で湿った吸取り紙を使用することが必要である。
　ラベル中に有効に採用される他の酸素−吸収系がある。制限するものではないが実例をあげると、このような系としては次のようなものがある。
　粒状チオ硫酸ナトリウムと粒状水酸化カルシウムと粒状電解質塩の混合物は、次の反応にしたがって酸素を吸収する。
２Ｎａ２Ｓ２Ｏ４＋２Ｃａ（ＯＨ）２＋３Ｏ２→２Ｎａ２ＳＯ４＋
　　　　　　　　　　　　　　　　　　　　　　２ＣａＳＯ４＋２Ｈ２Ｏ
　さらに、粒状アスコルビン酸と粒状電解質塩は、次の反応にしたがって酸素を吸収するために使用できる。
　アスコルビン酸＋Ｏ２→デヒドロアスコルビン酸＋Ｈ２Ｏ
　各前記２種の酸素−吸収系は、図１〜３のどの態様においても使用することができる。それらにおいていずれの成分もマトリクスで使用されるかばらの粒状体で使用される。
　前記の２種の系は、また、単独で又は酸化可能な金属塩と組合わせて使用することができる。ある種のフェノール化合物は十分容易に酸化されるので有用である。これらの中には、カテコール、ハイドロキノン及びピロガロールがある。
　ラベルフォーマットに生物学的系を使用することも可能である。酵素による酸素−吸収性反応は、適当な基質と組み合わせてグルコースオキシダーゼやアルコールオキシダーゼを利用するものを包含する。また好気性有機体もそれらが正常に呼吸を通して酸素を消費するので、ラベルフォーマットに使用することができ、イーストはこのカテゴリーに属すると信じられている。
　図１〜３に関連する上記説明は、ウェブから分離できるラベルを示し
ている。
　上記したすべてのラベルは、自動機械により連続ベース上に形成することができ、また自動機械により貼付することもできるということが特にまた留意されるべきである。さらに、すべての態様は、高度に効率的な方式で酸素を吸収する酸素−吸収性材料の薄層を有し、また、このような薄層はさらにラベル自体を比較的薄くさせるのに助けとなる。また、上記の個別の態様では、ラベルをベースにすなわち他のものに、たとえば容器の内側に固定するための接着剤１２を含むものとして説明されている。これに関連して、ラベルを容器のようなそのベースにしっかりと固定することは、ラベルを容器の構成部分とさせることによりラベルが容器内容物と混じるのを阻止することを再度強調する。
　この発明のすべてのラベルの適応性は安心を高め、安心して製造、取扱い及び他の物への貼付ができることが特に留意されるべきである。さらには他の物が例えば図
４
　この発明のどの態様の代表的使用方法も図
４〜７
４
５
　上に示したように、ラベルＬは、壁４１に貼付されてさきの態様又はその変形例とすることができる。ラベルＬは袋が形成される前に、すなわち袋の材料がまだストリップの状態にある間に壁４１に貼付され、袋製造後その内側の部分となる。ラベルＬは同じ方法で箱型容器の内側に固定できることも理解されよう。
　図
６
７
　この発明の好ましい態様を開示してきたが、この発明はそれらに制限されるものではなく、次の請求の範囲内でそれらとは別に具体化することができることは理解されよう。
（５７）【特許請求の範囲】
１．複数の酸素−吸収性ラベルと、該ラベルの各々が剥離可能に
接着
層と吸水性紙の層
前記酸素吸収性材料の層と吸水性紙の層とは重なり合い、かつ実質上、それらの間に何の材料も介さずに互いに直接接し、また前記層の一つが実質上それらの間に何の材料も介さずに前記カバーシートに直接隣接しており、かつ前記層の他がベースシートに隣接しており、
前記第１の接着剤層が前記空間内に延びて前記他の層を前記ベースシートに接着固定しており、
前記ウェブに前記ラベルを剥離可能に接着固定するため、かつ前記ラベルを前記ウェブから剥離して
２
３
４
０．２７９
１１
３
５
６
７
５
８
【図面】